【手続補正書】
【提出日】平成21年5月18日(2009.5.18)
【手続補正１】
【補正対象書類名】特許請求の範囲
【補正対象項目名】全文
【補正方法】変更
【補正の内容】
【特許請求の範囲】
【請求項１】
パワー制御チャネルの送信パワー制御フィードバックを生成する方法であって、
前記パワー制御チャネルを介してパワー制御コマンドを受信すること、
前記パワー制御チャネルの信号品質を推定すること、
前記パワー制御チャネルの推定信号品質をコマンドエラーレートにマップするマッピング関数、又は、前記パワー制御チャネルを介して受信したパワー制御コマンドについて計算された受信エラー確率をコマンドエラーレートにマップするマッピング関数に基づいて、前記受信したパワー制御コマンドのコマンドエラーレートを推定すること、
前記推定されたコマンドエラーレートをターゲットコマンドエラーレートと比較することにより、ターゲット信号品質を調整すること、および
前記推定された信号品質を前記ターゲット信号品質と比較することにより、前記パワー制御チャネルの送信パワー制御フィードバックを生成すること、
を含む方法。
【請求項２】
前記受信したパワー制御コマンドは、マッチしたビットシンボルをノミナルに含み、前記コマンドエラーレートを推定することは、前記受信したパワー制御コマンド内のミスマッチビット検出の関数として、前記受信したパワー制御コマンドの前記受信エラー確率を計算すること、および規定の確率−コマンドエラーレートマッピング関数に従って前記受信エラー確率を対応するコマンドエラーレート値にマッピングすることを含む、請求項１に記載の方法。
【請求項３】
前記規定の確率−コマンドエラーレートマッピング関数は、規定の多項式表現またはデータ参照テーブルを含む、請求項２に記載の方法。
【請求項４】
前記受信エラー確率を計算することは、受信した各パワー制御コマンドの相違値を生成することであって、前記相違値は、前記受信したパワー制御コマンドがミスマッチビットを含む場合に非ゼロであること、および指数加重フィルタに従って前記相違値をフィルタリングして前記受信エラー確率を得ることを含む、請求項２に記載の方法。
【請求項５】
前記受信したパワー制御コマンド内のミスマッチビットを検出することは、ハードビットエラーを検出することを含む、請求項２に記載の方法。
【請求項６】
前記受信したパワー制御コマンド内のミスマッチビットを検出することは、ソフトビットエラーを検出することを含む、請求項２に記載の方法。
【請求項７】
前記規定の確率−コマンドエラーレートマッピング関数に従って前記受信エラー確率を対応するコマンドエラーレート値にマッピングすることは、相対ソフトビットエラーを推定すること、および前記相対ソフトビットエラーをコマンドエラーレートにマッピングすることを含む、請求項６に記載の方法。
【請求項８】
前記相対ソフトビットエラーをコマンドエラーレートにマッピングすることが、量子化された相対ソフトビットエラー値をコマンドエラーレートにマッピングすることを含むように、分散基準を使用して前記相対ソフトビットエラーの分布を量子化することをさらに含む、請求項７に記載の方法。
【請求項９】
前記コマンドエラーレートを推定することは、規定の受信信号品質−コマンドエラーレートマッピング関数に従って、前記推定された信号品質を対応するコマンドエラーレート値にマッピングすることを含む、請求項１に記載の方法。
【請求項１０】
前記送信パワー制御フィードバックを生成することは、前記推定された信号品質が前記ターゲット信号品質よりも上か下かの判断に基づいて、アップまたはダウンを示す値としてフィードバック送信パワー制御コマンドを生成することを含む、請求項１に記載の方法。
【請求項１１】
前記信号品質を推定することは、前記パワー制御チャネルの信号対干渉比を推定することを含み、前記ターゲット信号品質はターゲット信号対干渉比を含む、請求項１に記載の方法。
【請求項１２】
前記パワー制御チャネルの信号品質を推定することは、受信する共通パイロットチャネルに基づいて前記パワー制御チャネルの信号品質推定を導き出すことを含む、請求項１に記載の方法。
【請求項１３】
前記受信する共通パイロットチャネル信号に基づいて前記パワー制御チャネルの信号品質推定を導き出すことは、前記パワー制御チャネルと共通パイロットチャネルとの間の利得オフセットを計算することを含む、請求項１２に記載の方法。
【請求項１４】
前記パワー制御チャネルと共通パイロットチャネルとの間の利得オフセットを計算することは、受信器出力に基づいて前記利得オフセットを計算することを含む、請求項１３に記載の方法。
【請求項１５】
前記パワー制御チャネルは、広帯域符号分割多元アクセス（Ｗ−ＣＤＭＡ）通信ネットワークのＦ−ＤＰＣＨ（Ｆｒａｃｔｉｏｎａｌ Ｄｅｄｉｃａｔｅｄ Ｐｈｙｓｉｃａｌ Ｃｈａｎｎｅｌ）を含む、請求項１に記載の方法。
【請求項１６】
無線通信装置またはシステムで使用するパワー制御回路であって、
前記パワー制御チャネルを介して前記無線通信装置またはシステムに送信されたパワー制御コマンドを受信し；
前記パワー制御チャネルの信号品質を推定し；
前記パワー制御チャネルの推定信号品質をコマンドエラーレートにマップするマッピング関数、又は、前記パワー制御チャネルを介して受信したパワー制御コマンドについて計算された受信エラー確率をコマンドエラーレートにマップするマッピング関数に基づいて、前記受信したパワー制御コマンドのコマンドエラーレートを推定し；
前記推定されたコマンドエラーレートをターゲットコマンドエラーレートと比較することにより、ターゲット信号品質を調整し；そして
前記推定された信号品質を前記ターゲット信号品質と比較することにより、前記パワー制御チャネルの送信パワー制御フィードバックを生成する：
ように構成された１つまたは複数の処理回路を備える、パワー制御回路。
【請求項１７】
前記１つまたは複数の処理回路は、前記パワー制御チャネルの前記信号品質を推定するように構成される信号品質推定回路、前記受信したパワー制御コマンドの前記コマンドエラーレート推定するように構成されるコマンドエラーレート推定回路、前記ターゲット信号品質を調整するように構成される外部ループパワー制御回路、および前記送信パワー制御フィードバックを生成するように構成される内部ループパワー制御回路を含む、請求項１６に記載のパワー制御回路。
【請求項１８】
前記受信したパワー制御コマンドは、マッチしたビットシンボルをノミナルに含み、前記コマンドエラーレート推定回路は、前記受信したパワー制御コマンド内のミスマッチビット検出の関数として、前記受信したパワー制御コマンドの前記受信エラー確率を計算し、規定の確率−コマンドエラーレートマッピング関数に従って前記受信エラー確率を対応するコマンドエラーレート値にマッピングすることで前記コマンドエラーレートを推定するように構成される、請求項１６に記載のパワー制御回路。
【請求項１９】
前記コマンドエラーレート推定回路は、前記規定の確率−コマンドエラーレートマッピング関数を規定の多項式表現またはデータ参照テーブルとして実装するように構成される、請求項１８に記載のパワー制御回路。
【請求項２０】
前記コマンドエラーレート推定回路は、前記受信したパワー制御コマンドがミスマッチビットを含む場合に非ゼロである、受信した各パワー制御コマンドの相違値を生成し、指数加重フィルタに従って前記相違値をフィルタリングして、前記受信エラー確率を取得することによって、前記受信エラー確率を計算するように構成される、請求項１８に記載のパワー制御回路。
【請求項２１】
前記コマンドエラーレート推定回路は、ハードビットエラーの検出に基づいて前記受信したパワー制御コマンド内のミスマッチビットを検出するように構成される、請求項１８に記載のパワー制御回路。
【請求項２２】
前記コマンドエラーレート推定回路は、ソフトビットエラーの検出に基づいて前記受信したパワー制御コマンド内のミスマッチビットを検出するように構成される、請求項１８に記載のパワー制御回路。
【請求項２３】
コマンドエラーレート推定回路は、相対ソフトビットエラーを推定すること、および該相対ソフトビットエラーをコマンドエラーレートにマッピングすることに基づいて、規定の確率−コマンドエラーレートマッピング関数に従って前記受信エラー確率を対応するコマンドエラーレート値にマッピングするように構成される、請求項２２に記載のパワー制御回路。
【請求項２４】
前記コマンドエラーレート推定回路は、前記相対ソフトビットエラーをコマンドエラーレートにマッピングすることが、量子化された相対ソフトビットエラー値をコマンドエラーレートにマッピングすることを含むように、分散基準を使用して前記相対ソフトビットエラーの分布を量子化するようにさらに構成される、請求項２３に記載のパワー制御回路。
【請求項２５】
前記パワー制御回路は、規定の信号品質−コマンドエラーレートマッピング関数に従って、前記推定された信号品質を対応するコマンドエラーレート値にマッピングすることにより、前記コマンドエラーレートを推定するように構成される、請求項１６に記載のパワー制御回路。
【請求項２６】
前記パワー制御回路は、前記推定された信号品質が前記ターゲット信号品質よりも上か下かの判断に基づいて、アップまたはダウンを示す値として送信パワー制御フィードバックを生成するように構成される、請求項１６に記載のパワー制御回路。
【請求項２７】
前記パワー制御回路は、前記パワー制御チャネルの信号対干渉比として前記信号品質を推定するように構成され、前記ターゲット信号品質はターゲット信号対干渉比を含む、請求項１６に記載のパワー制御回路。
【請求項２８】
パワー制御チャネルの送信パワー制御フィードバックを生成する方法であって、
前記パワー制御チャネルを介してパワー制御コマンドを受信すること、
前記パワー制御チャネルの信号品質を推定すること、および
前記推定された信号品質を、規定の信号品質−コマンドエラーレートマッピング関数に従ってターゲットコマンドエラーレートを対応する信号品質値にマッピングすることにより判断されるターゲット信号品質と比較することにより、前記パワー制御チャネルの送信パワー制御フィードバックを生成すること、
を含む方法。
【請求項２９】
前記ターゲットコマンドエラーレートを使用して、前記規定の信号品質−コマンドエラーレートマッピング関数を具現化したデータ参照テーブルにアクセスすることにより、前記対応する信号品質値を判断することをさらに含む、請求項２８に記載の方法。
【請求項３０】
前記ターゲットコマンドエラーレートを、前記規定の信号品質−コマンドエラーレートマッピング関数を具現化した多項式関数への入力値として使用することにより、前記対応する信号品質値を判断することをさらに含む、請求項２８に記載の方法。
【請求項３１】
前記パワー制御チャネルの信号品質を推定することは、前記パワー制御チャネルの信号対干渉比を推定することを含み、前記ターゲット信号品質はターゲット信号対干渉比を含む、請求項２８に記載の方法。
【請求項３２】
前記パワー制御チャネルは、広帯域符号分割多元アクセス（Ｗ−ＣＤＭＡ）通信ネットワークのＦ−ＤＰＣＨ（Ｆｒａｃｔｉｏｎａｌ Ｄｅｄｉｃａｔｅｄ Ｐｈｙｓｉｃａｌ Ｃｈａｎｎｅｌ）を含む、請求項２８に記載の方法。
【請求項３３】
無線通信装置またはシステムで使用するパワー制御回路であって、
前記パワー制御チャネルを介してパワー制御コマンドを受信し；
前記パワー制御チャネルの信号品質を推定し；そして
前記推定された信号品質を、規定の信号品質−コマンドエラーレートマッピング関数に従ってターゲットコマンドエラーレートを対応する信号品質値にマッピングすることにより判断されるターゲット信号品質と比較することにより、前記パワー制御チャネルの送信パワー制御フィードバックを生成する：
ように構成された１つまたは複数の処理回路を備える、パワー制御回路。
【請求項３４】
前記ターゲットコマンドエラーレートを使用して、前記規定の信号品質−コマンドエラーレートマッピング関数を具現化したデータ参照テーブルにアクセスすることにより、前記対応する信号品質値を判断するように構成されるマッピング回路をさらに備える、請求項３３に記載のパワー制御回路。
【請求項３５】
前記ターゲットコマンドエラーレートを、前記規定の信号品質−コマンドエラーレートマッピング関数を具現化した多項式関数への入力値として使用することにより、前記対応する信号品質値を判断するように構成されるマッピング回路をさらに備える、請求項３３に記載のパワー制御回路。
【請求項３６】
パワー制御チャネルを介してパワー制御コマンドを受信すること；
前記パワー制御チャネルの信号品質を推定すること；
前記推定された信号品質を前記ターゲット信号品質と比較することにより、前記パワー制御チャネルの送信パワー制御フィードバックを生成すること；
前記パワー制御チャネルの推定信号品質をコマンドエラーレートにマップするマッピング関数、又は、前記パワー制御チャネルを介して受信したパワー制御コマンドについて計算された受信エラー確率をコマンドエラーレートにマップするマッピング関数に基づいて、前記受信したパワー制御コマンドのコマンドエラーレートを推定すること；および
前記推定されたコマンドエラーレートをターゲットコマンドエラーレートと比較することにより、ターゲット信号品質を調整すること：
に基づいて、無線通信装置により受信されるパワー制御チャネルの送信パワー制御フィードバックを生成するように構成されるパワー制御回路を含む無線通信装置。
【請求項３７】
パワー制御チャネルを介してパワー制御コマンドを受信すること；
前記パワー制御チャネルの信号品質を推定すること；および
前記推定された信号品質を、規定の信号品質−コマンドエラーレートマッピング関数に従ってターゲットコマンドエラーレートを対応する信号品質値にマッピングすることにより判断されるターゲット信号品質と比較することにより、前記パワー制御チャネルの送信パワー制御フィードバックを生成すること：
に基づいて、無線通信装置により受信されるパワー制御チャネルの送信パワー制御フィードバックを生成するように構成されるパワー制御回路を含む無線通信装置。
【請求項３８】
パワー制御チャネルの送信パワー制御フィードバックを生成するコンピュータプログラムを記憶するコンピュータ可読媒体であって、前記コンピュータプログラムは、
前記パワー制御チャネルの信号品質を推定するプログラム命令と；
前記パワー制御チャネルの推定信号品質をコマンドエラーレートにマップするマッピング関数、又は、前記パワー制御チャネルを介して受信したパワー制御コマンドについて計算された受信エラー確率をコマンドエラーレートにマップするマッピング関数に基づいて、前記パワー制御チャネルで受信したパワー制御コマンドのコマンドエラーレートを推定するプログラム命令と；
前記推定されたコマンドエラーレートをターゲットコマンドエラーレートと比較することにより、ターゲット信号品質を調整するプログラム命令と；
前記推定された信号品質を前記ターゲット信号品質と比較することにより、前記パワー制御チャネルの送信パワー制御フィードバックを生成するプログラム命令と：
を含む、コンピュータ可読媒体。
【請求項３９】
パワー制御チャネルの送信パワー制御フィードバックを生成するコンピュータプログラムを記憶するコンピュータ可読媒体であって、前記コンピュータプログラムは、
前記パワー制御チャネルを介してパワー制御コマンドを受信するプログラム命令と、
前記パワー制御チャネルの信号品質を推定するプログラム命令と、
前記推定された信号品質を、規定の信号品質−コマンドエラーレートマッピング関数に従ってターゲットコマンドエラーレートを対応する信号品質値にマッピングすることにより判断されるターゲット信号品質と比較することにより、前記パワー制御チャネルの送信パワー制御フィードバックを生成するプログラム命令と、
を含む、コンピュータ可読媒体。